【手続補正書】
【提出日】平成28年3月7日(2016.3.7)
【手続補正１】
【補正対象書類名】明細書
【補正対象項目名】００４７
【補正方法】変更
【補正の内容】
【００４７】
本発明の具体的な実施形態を本明細書中に示し説明してきたが、これらの実施形態は、多くの考えられる具体的な構成を単に例示しているにすぎず、これらは本発明の原理を適用して考案され得ることが理解されよう。これらの原理にしたがって、本発明の趣旨及び範囲から逸脱することなく、多くの様々な他の構成が当業者によって考案され得る。したがって、本発明の範囲は、本出願に述べられる構造に限定されるべきではなく、特許請求の範囲の文言により述べられる構造及びそうした構造の均等物によってのみ限定されるべきである。本発明の実施態様の一部を以下の項目［１］−［３０］に記載する。
[１]
固定用組立体であって
接着要素であって、
第１のメカニカルファスナを備えた第１の表面と、
前記第１の表面とは反対側の、接着剤を備えた第２の表面と、
を備える、接着要素と、
固定要素であって、
第１の表面と、
前記第１の表面とは反対側の第２の表面と、
前記固定要素の少なくとも前記第１の表面又は第２の表面上にある第２のメカニカルファスナであって、前記第１のメカニカルファスナに固定されるように構成された前記第２のメカニカルファスナと、
を備えた固定要素と、
を備え、
前記固定要素の前記第１の表面は、前記接着要素の前記第２の表面の前記接着剤を被覆し、かつ前記接着剤に剥離可能に固定される、固定用組立体。
[２]
前記接着要素は、１層以上の織布、編物、紙、フィルム、又は不織布材料を備え、前記固定要素は、１層以上の織布、編物、紙、フィルム、又は不織布材料を備える、項目１に記載の固定用組立体。
[３]
前記第１のメカニカルファスナは、複数のフック、ループ、又はステムを備える、項目１又は２に記載の固定用組立体。
[４]
前記固定要素の一部分が、前記接着要素の前記第２の表面を越えて延びてタブを形成する、項目１〜３のいずれか一項に記載の固定用組立体。
[５]
前記第２のメカニカルファスナは、前記固定要素の前記第１の表面上にある、項目１〜４のいずれか一項に記載の固定用組立体。
[６]
前記第２のメカニカルファスナは、前記固定要素の前記第２の表面上にある、項目１〜５のいずれか一項に記載の固定用組立体。
[７]
前記第２のメカニカルファスナは前記固定要素の前記第２の表面上にあり、前記固定要素の前記第１の表面は剥離コーティングを有する、項目１〜６のいずれか一項に記載の固定用組立体。
[８]
装置を固定するために、前記接着要素又は固定要素の少なくとも一方に置かれた摩擦制御要素を更に備える、項目１〜７のいずれか一項に記載の固定用組立体。
[９]
前記摩擦制御要素は、前記第１のメカニカルファスナ又は第２のメカニカルファスナの少なくとも一方に固定されるように構成されている、前記装置上の第３のメカニカルファスナである、項目１〜８のいずれか一項に記載の固定用組立体。
[１０]
前記第１のメカニカルファスナ又は第２のメカニカルファスナの少なくとも一方に埋め込まれた作業用接着剤を更に備える、項目１〜９のいずれか一項に記載の固定用組立体。
[１１]
固定用組立体であって
接着要素であって、
第１のメカニカルファスナを備えた第１の表面と、
前記第１の表面とは反対側の、接着剤を備えた第２の表面と、
を備える、接着要素と、
前記接着要素の前記接着剤から少なくとも部分的に取外し可能な固定要素であって、
第１の表面と、
前記第１の表面とは反対側の第２の表面と、
前記固定要素の前記第１の表面又は第２の表面の少なくとも一方にある第２のメカニカルファスナと、を備える、固定要素と、
を備え、
前記第２のメカニカルファスナは前記第１のメカニカルファスナに固定され、
装置が、前記第１のメカニカルファスナを備えた前記接着要素の前記第１の表面の一部分と、上方の前記第２のメカニカルファスナと、の間に配置される、固定用組立体。
[１２]
前記第１のメカニカルファスナは、複数のフック、ループ、又はステムを備える、項目１１に記載の固定用組立体。
[１３]
前記第２のメカニカルファスナは、複数のフック、ループ、又はステムを備える、項目１１又は１２に記載の固定用組立体。
[１４]
前記第２のメカニカルファスナは、前記第１のメカニカルファスナから取外し可能である、項目１１〜１３のいずれか一項に記載の固定用組立体。
[１５]
前記第２のメカニカルファスナは、前記固定要素の前記第１の表面上にある、項目１１〜１４のいずれか一項に記載の固定用組立体。
[１６]
前記第２のメカニカルファスナは、前記固定要素の前記第２の表面上にある、項目１１〜１５のいずれか一項に記載の固定用組立体。
[１７]
更に装置を固定するための、前記接着要素又は固定要素の少なくとも一方に置かれた摩擦制御要素を更に備える、項目１１〜１６のいずれか一項に記載の固定用組立体。
[１８]
更に装置を固定するために、前記接着要素又は固定要素の一方と相互作用するために装置上に摩擦制御要素を更に備える、項目１１〜１７のいずれか一項に記載の固定用組立体。
[１９]
前記摩擦制御要素は、前記第１のメカニカルファスナ又は第２のメカニカルファスナの少なくとも一方に固定されるように構成された第３のメカニカルファスナである、項目１１〜１８のいずれか一項に記載の固定用組立体。
[２０]
前記第１のメカニカルファスナ又は第２のメカニカルファスナの少なくとも一方に少なくとも部分的に埋め込まれた作業用接着剤を更に備える、項目１１〜１９のいずれか一項に記載の固定用組立体。
[２１]
固定用組立体であって
接着要素であって、
第１の複数のステム又はフックを備える第１の表面と、
前記第１の表面とは反対側の、接着剤を備えた第２の表面と、
を備える、接着要素と、
固定要素であって、
第１の表面と、
前記第１の表面と反対側の、第２の複数のステム又はフックを備える、第２の表面と、を備える、固定要素と、
を備え、
作業用接着剤が、前記第１又は第２の複数のステム又はフックのうちの少なくとも一方に部分的に埋め込まれ、
前記第１の複数のステム又はフックは、前記第２の複数のステム又はフックに固定され、
装置が、前記接着要素の前記第１の表面の一部分と、前記固定要素の前記第２の表面と、の間に配置される、固定用組立体。
[２２]
固定用組立体を固定する方法であって、
第１のメカニカルファスナを備える第１の表面と、前記第１の表面とは反対側の、接着剤を備える第２の表面と、を備える接着要素と、
第１の表面と、前記第１の表面とは反対側の第２の表面と、を備える固定要素であって、前記第２のメカニカルファスナは、前記固定要素の前記第１の表面又は第２の表面の少なくとも一方にあって前記第１のメカニカルファスナに固定され、前記固定要素は、前記接着要素の前記第２の表面の前記接着剤を被覆する固定要素と、
を備える固定用組立体を設けることと、
前記固定要素を前記接着要素から取り外すことと、
前記接着要素の前記第２の表面の前記接着剤を表面に固定することと、
を含む、方法。
[２３]
前記固定要素を前記接着要素から取り外すことは、前記固定要素の前記第１の表面を前記接着要素の前記第２の表面から取り外すことを含む、項目２２に記載の方法。
[２４]
装置の一部分を前記第１のメカニカルファスナに隣接させて置くことを更に含む、項目２２又は２３に記載の方法。
[２５]
前記第２のメカニカルファスナの少なくとも一部分を前記第１のメカニカルファスナに固定することを更に含み、前記装置は、前記第１のメカニカルファスナの一部分と第２のメカニカルファスナとの間に固定され、前記第１のメカニカルファスナの一部分及び第２のメカニカルファスナはともに固定される、項目２２〜２４のいずれか一項に記載の方法。
[２６]
前記装置は、前記摩擦制御要素は、前記第１のメカニカルファスナ又は第２のメカニカルファスナの少なくとも一方に固定することが可能な第３のメカニカルファスナを備える、項目２２〜２５のいずれか一項に記載の方法。
[２７]
前記第１のメカニカルファスナは、複数のフック、ループ、又はステムを備える、項目２２〜２６に記載の方法。
[２８]
前記固定要素の一部分が前記接着要素の前記第２の表面を越えて延びて、前記固定要素を前記接着要素から取り外すためのタブを形成する、項目２２〜２７のいずれか一項に記載の方法。
[２９]
前記第２のメカニカルファスナは、複数のフック、ループ、又はステムを備える、項目２２〜２８に記載の方法。
[３０]
装置を固定する方法であって、
第１の複数のステム又はフックを備える第１の表面と、前記第１の表面とは反対側の、接着剤を備える第２の表面と、を備える接着要素を設けることと、
前記接着剤を表面に固定することと、
第１の表面と、前記第１の表面とは反対側の、第２の複数のステム又はフックを備える、第２の表面と、を備える固定要素を設けることと、
装置を前記接着要素の上に置くことと、
前記装置の少なくとも一部分を前記固定要素で被覆することと、
前記第１の複数のステム又はフックを前記第２の複数のステム又はフックと固定することであって、作業用接着剤が、前記第１又は第２の複数のステム又はフックの少なくとも一方に部分的に埋め込まれていることと、
を含む、方法。
【手続補正２】
【補正対象書類名】特許請求の範囲
【補正対象項目名】全文
【補正方法】変更
【補正の内容】
【特許請求の範囲】
【請求項１】
固定用組立体であって
接着要素であって、
第１のメカニカルファスナを備えた第１の表面と、
前記第１の表面とは反対側の、接着剤を備えた第２の表面と、
を備える、接着要素と、
固定要素であって、
第１の表面と、
前記第１の表面とは反対側の第２の表面と、
前記固定要素の少なくとも前記第１の表面又は第２の表面上にある第２のメカニカルファスナであって、前記第１のメカニカルファスナに固定されるように構成された前記第２のメカニカルファスナと、
を備えた固定要素と、
を備え、
前記固定要素の前記第１の表面は、前記接着要素の前記第２の表面の前記接着剤を被覆し、かつ前記接着剤に剥離可能に固定される、固定用組立体。
【請求項２】
装置を固定するために、前記接着要素又は固定要素の少なくとも一方に置かれた摩擦制御要素を更に備える、請求項１に記載の固定用組立体。
【請求項３】
前記摩擦制御要素は、前記第１のメカニカルファスナ又は第２のメカニカルファスナの少なくとも一方に固定されるように構成されている、前記装置上の第３のメカニカルファスナである、請求項１又は２に記載の固定用組立体。
【請求項４】
前記第１のメカニカルファスナ又は第２のメカニカルファスナの少なくとも一方に埋め込まれた作業用接着剤を更に備える、請求項１〜３のいずれか一項に記載の固定用組立体。